【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
物質移動カラムの内部構造物を支持する支持ビームであって、
対向端部、前記対向端部の間に延びる長手方向の長さ、下側エッジ、上側エッジ、ならびに対向した第１および第２面を有する上側ビームセグメントと、
対向端部、前記対向端部の間に延びる長手方向の長さ、下側エッジ、対向した上側エッジ、ならびに対向した第１および第２面を有する下側ビームセグメントと、
前記上側ビームセグメントの前記下側エッジが前記下側ビームセグメントの前記上側エッジに位置合わせされて対面した状態で、前記上側ビームセグメントおよび前記下側ビームセグメントを長手方向に位置合わせされた位置に共に固定する複数のコネクタと、を有し、
前記複数のコネクタのそれぞれは、
前記下側および前記上側ビームセグメントの第１面に沿って固定された第１ブラケットと、
前記下側および前記上側ビームセグメントの第２面に沿って固定された第２ブラケットと、
前記第１および前記第２ブラケットの中の位置合わせされたインデックス孔、ならびに前記下側および前記上側ビームセグメントの一方または両方の中に形成された孔を通って延びる荷重伝達ピンと、を有する支持ビーム。
【請求項２】
前記上側ビームセグメントの前記下側エッジは、前記第１および前記第２ブラケットの中の前記位置合わせされたインデックス孔を通って延びる前記荷重伝達ピンによって、前記下側ビームセグメントの対面した前記上側エッジから間隔を開けて配置される請求項１に記載の支持ビーム。
【請求項３】
前記複数のコネクタのそれぞれは、前記第１および前記第２ブラケットの中の位置合わせされた孔ならびに前記下側ビームセグメントまたは前記上側ビームセグメントのいずれかの中に形成された別の孔を通って延びる少なくとも１つの締結具を含む請求項１または２に記載の支持ビーム。
【請求項４】
前記複数のコネクタのそれぞれは、前記第１および前記第２ブラケットの中の位置合わせされた孔ならびに前記下側ビームセグメントの中に形成された第１孔を通って延びる第１締結具と、前記第１および前記第２ブラケットの中の追加の位置合わせされた孔ならびに前記上側ビームセグメントの中に形成された第２孔を通って延びる第２締結具と、を含む請求項１または２に記載の支持ビーム。
【請求項５】
前記第１ブラケットは、前記上側ビームセグメントの第１面よりも多く前記下側ビームセグメントの第１面に重なり、前記第２ブラケットは、前記下側ビームセグメントの第２面よりも多く前記上側ビームセグメントの第２面に重なる請求項１〜４のいずれかに記載の支持ビーム。
【請求項６】
流体流が前記支持ビームを横方向に通り抜けることができるように、前記下側および前記上側ビームセグメントの中に複数の間隔を開けた切り抜き部を含む請求項１〜５のいずれかに記載の支持ビーム。
【請求項７】
物質移動カラムの内部構造物を支持する支持ビームであって、
対向端部、前記対向端部の間に延びる長手方向の長さ、下側エッジ、上側エッジ、ならびに対向した第１および第２面を有する上側ビームセグメントと、
対向端部、前記対向端部の間に延びる長手方向の長さ、下側エッジ、対向した上側エッジ、ならびに対向した第１および第２面を有する下側ビームセグメントと、
前記上側ビームセグメントの前記下側エッジが前記下側ビームセグメントの前記上側エッジに位置合わせされて間隔を開けた関係で対面した状態で、前記上側ビームセグメントおよび前記下側ビームセグメントを垂直方向および長手方向に位置合わせされた位置に共に固定する複数のコネクタと、を有し、
前記複数のコネクタのそれぞれは、
前記下側および前記上側ビームセグメントの第１面に沿って固定された第１ブラケットと、
前記下側および前記上側ビームセグメントの第２面に沿って固定された第２ブラケットと、
前記第１および前記第２ブラケットの中の位置合わせされたインデックス孔、ならびに前記下側および前記上側ビームセグメントの一方または両方の中に形成された孔を通って延びる荷重伝達ピンと、
前記第１および前記第２ブラケットの中の位置合わせされた孔、ならびに前記下側ビームセグメントの中に形成された第１孔を通って延びる第１締結具と、
前記第１および前記第２ブラケットの中の追加の位置合わせされた孔、ならびに前記上側ビームセグメントの中に形成された第２孔を通って延びる第２締結具と、を有し、
前記第１ブラケットは、前記上側ビームセグメントの第１面よりも多く前記下側ビームセグメントの第１面に重なり、前記第２ブラケットは、前記下側ビームセグメントの第２面よりも多く前記上側ビームセグメントの第２面に重なる支持ビーム。
【請求項８】
流体流が前記支持ビームを横方向に通り抜けることができるように、前記下側および前記上側ビームセグメントの中に複数の間隔を開けた切り抜き部を含む請求項７に記載の支持ビーム。
【請求項９】
物質移動カラムの中で使用する支持ビームを製造する方法であって、
上側および下側ビームセグメントを互いに垂直方向および長手方向に位置合わせされた位置に配置するステップと、
前記下側および前記上側ビームセグメントの一方の面に沿って第１ブラケットを配置し、前記下側および前記上側ビームセグメントの反対側の面に沿って前記第１ブラケットに略位置合わせされた位置に第２ブラケットを配置するステップと、
前記第１および前記第２ブラケットの中の位置合わせされたインデックス孔ならびに前記下側および／または前記上側ビームセグメントの中の孔に荷重伝達ピンを挿入するステップと、
前記荷重伝達ピンが前記インデックス孔に挿入されると共に、前記下側ビームセグメントに前記第１ブラケットを固定し、前記上側ビームセグメントに前記第２ブラケットを固定するステップと、
前記第１または前記第２ブラケットのいずれかに前記荷重伝達ピンを固定するステップと、を含む方法。
【請求項１０】
さらに、前記第１および前記第２ブラケットならびに前記下側および前記上側ビームセグメントの中に、締結具を挿入可能な位置合わせされた孔を形成するステップを含む請求項９に記載の方法。
【請求項１１】
前記下側および前記上側ビームセグメントを配置するステップは、前記下側ビームセグメントの上側エッジおよび前記上側ビームセグメントの対面した下側エッジの間にわずかに間隔を開けて、前記下側および前記上側ビームセグメントを配置するステップを含む請求項９または１０に記載の方法。
【請求項１２】
物質移動カラムの中に支持ビームを設置する方法であって、
前記カラムのシェルの中の開放されたマンウェイに、分離された下側および上側ビームセグメントを通すステップと、
前記下側および前記上側ビームセグメントを長手方向に位置合わせされた位置に配置するステップと、
前記上側ビームセグメントの中の孔に、次に第２ブラケットの中のインデックス孔に、前記下側ビームセグメントの一方の面に固定された第１ブラケットに固定された荷重伝達ピンを挿入するステップと、
前記第１および前記第２ブラケットならびに前記下側または前記上側ビームセグメントの中の位置合わせされた孔に締結具を挿入するステップと、
前記第１および前記第２ブラケットに前記締結具を固定するステップと、を含む方法。
【請求項１３】
前記荷重伝達ピンは、前記下側および前記上側ビームセグメントを、間隔を開けた関係に維持する請求項１２に記載の方法。
【請求項１４】
さらに、前記カラムの前記シェルに前記支持ビームを固定するステップを含む請求項１２または１３に記載の方法。
【請求項１５】
さらに、前記支持ビームの上に内部構造物を支持するステップを含む請求項１２〜１４のいずれかに記載の方法。